【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
共振周波数を持ち、さらに動作パラメータを持つ、二次側の負荷に誘導結合される一次側のタンク回路、を有する非接触電源であって、前記タンク回路が、AC電源周波数及びデューティサイクルを持つAC電源に結合され、前記AC電源が、レール電圧を持つDC電源に結合された、前記非接触電源を、前記負荷に電力を供給するように作動させる方法であって、
前記一次側のタンク回路における動作パラメータの変化に応じて、前記一次側のタンク回路の共振周波数を変化させ、
前記一次側のタンク回路における動作パラメータの変化に応じて、前記一次側において、前記AC電源周波数、前記AC電源デューティサイクル、及び前記DC電源レール電圧のうち少なくとも１つを変化させる  ステップを含むことを特徴とする方法。
【請求項２】
前記タンク回路が、キャパシタンスを持ち、前記タンク回路の前記共振周波数を調整する可変コンデンサを持ち、
前記タンク回路の共振周波数を変化させるステップが、前記可変コンデンサの前記キャパシタンスを変化させるステップを含む
ことを特徴とする請求項１に記載の方法。
【請求項３】
前記タンク回路が、インダクタンスを持ち、前記タンク回路の前記共振周波数を調整する可変インダクタを持ち、
前記タンク回路の共振周波数を変化させるステップが、前記可変インダクタの前記インダクタンスを変化させるステップを含む
ことを特徴とする請求項１に記載の方法。
【請求項４】
二次側の負荷に電力を供給するように、タンク回路及び前記タンク回路に電力を供給するインバータを持つ一次側の電源を作動させる方法であって、
前記タンク回路は、コントローラーによって第一の共振周波数又は第二の共振周波数を持つように構成可能であり、また、前記電源が効率的に動作する公称範囲を持つ動作パラメータを持ち、前記負荷に誘導結合され、前記インバータは、第一のインバータ周波数及び第二のインバータ周波数を持ち、
前記一次側のタンク回路を、前記第一の共振周波数を持つように構成し、
前記一次側のインバータを、ほぼ前記第一のインバータ周波数で作動させ、
前記一次側の動作パラメータを検出し、
前記一次側の動作パラメータが前記公称範囲内でない場合には、前記一次側のタンク回路を、前記第二の共振周波数を持つように構成し、
前記一次側の動作パラメータが前記公称範囲内でない場合には、前記一次側のインバータを、ほぼ前記第二のインバータ周波数で作動させる
ステップを含むことを特徴とする方法。
【請求項５】
前記電源がメモリを持ち、
前記タンク回路が前記第一の共振周波数で動作するように構成され、前記インバータが前記第一のインバータ周波数で動作するように構成されるとき、前記動作パラメータを、第一の動作値として、前記メモリ内に格納し、
前記タンク回路が前記第二の共振周波数で動作するように構成され、前記インバータが前記第二のインバータ周波数で動作するように構成されるとき、前記動作パラメータを、第二の動作値として、前記メモリ内に格納する
ステップを含むことを特徴とする請求項４に記載の方法。
【請求項６】
前記公称範囲内でない動作パラメータに応じて、前記インバータが、前記第一のインバータ周波数又は前記第二のインバータ周波数で動作している時、前記第一の動作値、又は前記第二の動作値、のどちらが好ましいかを定め、
前記第一の動作値、又は前記第二の動作値、のいずれかを作り出すよう動作するように、前記電源を構成する
ステップを含むことを特徴とする請求項５に記載の方法。
【請求項７】
前記第一の動作値が好ましい場合には、前記第一の動作値を、予想される動作値として、前記メモリ内に格納し、
前記第二の動作値が好ましい場合には、前記第二の動作値を、前記予想される動作値として、前記メモリ内に格納する
ステップをさらに含むことを特徴とする請求項６に記載の方法。
【請求項８】
二次側の負荷のために一次側の誘導電源を作動させる方法であって、
前記誘導電源は前記負荷と誘導結合されたタンク回路を持ち、前記タンク回路は調整可能な共振周波数を持ち、前記誘導電源は動作周波数を持つインバータを持ち、前記誘導電源は前記タンク回路の動作パラメータを検出するためのセンサを持ち、前記動作パラメータは前記電源が効率的に動作する公称範囲を持ち、
前記一次側の誘導電源のタンク回路の動作パラメータが前記公称範囲内であるか否かを定め、
前記一次側の誘導電源のインバータの動作周波数が最大周波数と最小周波数との間にあるか否かを定め、
１）前記インバータの動作周波数が最大周波数と最小周波数との間にあり、かつ２）前記一次側の誘導電源のタンク回路の動作パラメータが前記公称範囲内でない、との決定に応じて、前記一次側の誘導電源のインバータの動作周波数を調整し、
前記インバータの動作周波数が最大周波数と最小周波数との間にない、との決定に応じて、前記一次側の誘導電源のタンク回路の動作パラメータ、及び前記一次側の誘導電源のインバータの最小周波数及び最大周波数を調整する
ステップを含むことを特徴とする方法。
【請求項９】
前記タンク回路が可変コンデンサを持ち、
前記タンク回路の共振周波数を調整するステップが、前記タンク回路の可変コンデンサのキャパシタンスを調整して、前記タンク回路の共振周波数を調整するステップを含む
ことを特徴とする請求項８に記載の方法。
【請求項１０】
前記タンク回路が可変インダクタを持ち、
前記タンク回路の共振周波数を調整するステップが、前記タンク回路の可変コンデンサのインダクタンスを調整して、前記タンク回路の共振周波数を調整するステップを含む
ことを特徴とする請求項８に記載の方法。
【請求項１１】
二次側を規定する遠隔装置に誘導的に電力を供給するための、一次側を規定する非接触電源であって、
可変キャパシタンスを有する可変コンデンサ及び可変インダクタンスを有する可変インダクタのうち少なくとも１つを含む、一次側に配置された共振タンク回路であって、前記可変コンデンサ及び前記可変インダクタのうち少なくとも１つの関数として、調整可能な共振周波数を有し、電力を前記遠隔装置へ伝送するための一次側を有する、前記共振タンク回路、
一次側に配置され、前記タンク回路に電気的に結合されたスイッチング回路であって、調整可能な動作周波数で動作する、前記スイッチング回路、
一次側に配置され、前記共振タンク回路に作動的に結合された回路センサであって、センサ出力を発生する、前記回路センサ、及び
一次側に配置され、前記センサ出力を受信するように前記回路センサに電気的に結合されたコントローラーであって、
（１）前記センサ出力に応じて、前記スイッチング回路の前記調整可能な動作周波数を調整し、
（２）（ｉ）前記タンク回路の前記可変コンデンサのキャパシタンスの変化、及び（ii）前記タンク回路の前記可変インダクタのインダクタンスの変化のうち少なくとも１つによる前記センサ出力に応じて、前記タンク回路の前記調整可能な共振周波数を調整する
ようプログラムされている、前記コントローラー
を含むことを特徴とする非接触電源。
【請求項１２】
前記コントローラーが、前記遠隔装置からの電力情報に応じて、前記調整可能な共振周波数を調整する
ことを特徴とする請求項１１に記載の非接触電源。
【請求項１３】
前記可変コンデンサが、コンデンサのバンクを含み、前記可変コンデンサのキャパシタンスが、前記コントローラー及び前記コンデンサのバンクに作動的に結合されたコンデンサスイッチにより変化する
ことを特徴とする請求項１１に記載の非接触電源。
【請求項１４】
誘導結合の二次側に配置された遠隔装置に誘導的に電力を供給するための、前記誘導結合の一次側に配置された非接触電源であって、
前記誘導結合の一次側に配置されたインバータであって、デューティサイクル及び動作周波数を有する、前記インバータ、
前記インバータと結合された、前記誘導結合の一次側に配置された、共振回路であって、共振周波数を有し、電力を前記遠隔装置へ伝送するための一次側を有する、前記共振回路、
前記インバータと結合された、前記誘導結合の一次側に配置された、電源であって、レール電圧を有する、前記電源、
前記共振回路と作動的に結合された、前記誘導結合の一次側に配置された、センサであって、センサ出力を発生する、前記センサ、
前記センサと電気的に連通する、前記誘導結合の一次側に配置された、コントローラーであって、
（１）前記センサ出力に応じて、前記インバータの動作周波数、前記電源のレール電圧、及び前記インバータのデューティサイクルのうち少なくとも１つを変化させ、
（２）前記センサ出力に応じて、前記共振回路の共振周波数を変化させる
ようプログラムされている、前記コントローラー
を含むことを特徴とする非接触電源。
【請求項１５】
誘導結合の二次側に配置された遠隔装置のために、前記誘導結合の一次側に配置された誘導電源を作動させる方法であって、
前記誘導結合の一次側に配置された誘導電源を、前記遠隔装置に誘導結合し、
前記誘導結合の一次側に配置された電源において、前記誘導電源における電力の特性を検出し、検出された電力の特性は、前記誘導結合を介して反映される誘導結合の二次側に配置された遠隔装置の特性に影響され、
前記検出された電力の特性に応じて、（ｉ）前記共振回路の可変コンデンサのキャパシタンスの調整、及び（ii）前記共振回路の可変インダクタの可変インダクタンスの変化のうち少なくとも１つにより、前記誘導結合の一次側に配置された前記誘導電源におけるタンク回路の共振周波数を調整し、
前記誘導電源における前記検出された特性の関数として、前記誘導電源の動作周波数、前記誘導電源のデューティサイクル、及び前記誘導電源のレール電圧のうち少なくとも１つを調整する
ステップを含むことを特徴とする方法。
【請求項１６】
前記可変コンデンサが、コンデンサのバンクを含み、前記可変コンデンサのキャパシタンスが、前記コンデンサのバンクに作動的に結合されたコンデンサスイッチにより制御可能である
ことを特徴とする請求項１５に記載の方法。